(57)【要約】【課題】  顔及び頭部を容易に且つ確実に支持することができると共に首や肩が凝るのを防止し、且つリラクゼーション効果を低減することなくリラックスした状態で仮眠を取ることを可能とした顔支持治具及び椅子を提供する。【解決手段】  少なくとも座部２１と背部２２とで構成される椅子本体２０に装着された顔支持治具３０であって、前記椅子本体２０の側面に少なくとも一端側が保持されたアーム部３２と、該アーム部３２に支持されると共に、前記椅子本体２０に着席した着席者の顔に対向する領域に設けられて当該着席者の顔の一部を支える固定部４１とを設ける。【選択図】        図１
2005278696.tif 000002
【特許請求の範囲】
【請求項１】
少なくとも座部と背部とで構成される椅子本体に装着された顔支持治具であって、前記椅子本体の側面に少なくとも一端側が保持されたアーム部と、該アーム部に支持されると共に、前記椅子本体に着席した着席者の顔に対向する領域に設けられて当該着席者の顔の一部を支える固定部とを具備することを特徴とする顔支持治具。
【請求項２】
請求項１において、前記固定部には、前記着席者の顔のアゴ周辺が乗せられることを特徴とする顔支持治具。
【請求項３】
請求項１又は２において、前記アーム部の両端部側のそれぞれが、前記椅子本体の両側面側に着脱自在に保持されていることを特徴とする顔支持治具。
【請求項４】
請求項１〜３の何れかにおいて、前記アーム部が、前記背部の傾斜方向に傾斜自在に保持されていることを特徴とする顔支持治具。
【請求項５】
請求項１〜４の何れかにおいて、前記アーム部が、収縮自在に設けられていることを特徴とする顔支持治具。
【請求項６】
請求項１〜５の何れかにおいて、前記椅子本体が、前記座部及び前記背部の側面に肘部を有すると共に、前記アーム部が前記肘部に保持されていることを特徴とする顔支持治具。
【請求項７】
請求項１〜６の何れかにおいて、前記固定部が手形状を有することを特徴とする顔支持治具。
【請求項８】
請求項１〜７の何れかの顔支持治具を具備することを特徴とする椅子。
【発明の詳細な説明】
【技術分野】
【０００１】
本発明は、椅子本体に取り付けられて、当該椅子本体に着席した着席者の頭部を支持する顔支持治具及びそれを具備する椅子に関する。
【背景技術】
【０００２】
従来より、理髪店や美容院などでは、椅子に着席した状態で散髪、調髪、結髪、パーマネントウェーブ及び毛染めなどが行われる。例えば、散髪、調髪、結髪などではハサミやカミソリ等の刃物を用いており、また、パーマネントや毛染めなどでは電熱器等を用いて頭髪を加熱することがあるため、着席者は刃物による怪我や火傷を負わないために頭部を動かさないように固定している必要があった。
【０００３】
また、理髪店や美容院などでは、簡単なマッサージやフェイスエステなどを行うことでリラクゼーション効果を売り物にしているところもあり、また、着席者は単に調髪や顔剃りをされるだけでもリラックスしたり、ストレスを解消することができるという効果がある。そして、着席者は理髪店や美容院などでリラクゼーション効果を得るためや、睡眠不足を解消するために仮眠を取る場合が少なくなかった。
【０００４】
しかしながら、椅子に着席した状態で、頭部を長時間動かさないように固定しているのは困難であると共に、頭部を意識的に固定し続けていると、首や肩が凝ってしまったり、首や肩の凝りに起因する頭痛などが生じてしまうという問題がある。特に子供は頭部を意識的に固定するのが困難であるという問題がある。
【０００５】
また、椅子に着席した状態で頭部を長時間動かさないように固定するためには、目が覚めている（起きている）状態でなくてはならず、眠気があっても仮眠を取ることができずリラクゼーション効果が低減してしまうという問題がある。
【０００６】
また、椅子にヘッドレスト（頭受け）を設け、ヘッドレストによって頭部を支持する椅子もあるが、ヘッドレストによって頭部を支持させて固定した場合、散髪等の作業ができないという問題がある。
【０００７】
さらに、通常の座椅子やリクライニングシートなどの椅子に着席し、読書や細かな作業などを行うために顔を下に向けた状態では、首や肩が凝ってしまったり、首及び肩の凝りに起因する頭痛などが生じてしまうという問題がある。
【発明の開示】
【発明が解決しようとする課題】
【０００８】
本発明はこのような課題に鑑み、顔及び頭部を容易に且つ確実に支持することができると共に首や肩が凝るのを防止し、且つリラクゼーション効果を低減することなくリラックスした状態で仮眠を取ることを可能とした顔支持治具及び椅子を提供することを課題とする。
【課題を解決するための手段】
【０００９】
上記課題を解決する本発明の第１の態様は、少なくとも座部と背部とで構成される椅子本体に装着された顔支持治具であって、前記椅子本体の側面に少なくとも一端側が保持されたアーム部と、該アーム部に支持されると共に、前記椅子本体に着席した着席者の顔に対向する領域に設けられて当該着席者の顔の一部を支える固定部とを具備することを特徴とする顔支持治具にある。
【００１０】
かかる第１の態様では、椅子本体に着席した着席者は、固定部に顔を支持させることができ、着席者は容易に頭部を固定することができる。これにより、着席者は、リラクゼーション効果を低減することなく仮眠を取ることができると共に、頭部を長時間固定しても疲労することがなく、首や肩の凝り及びこれに起因する頭痛などを防止することができる。
【００１１】
本発明の第２の態様は、第１の態様において、前記固定部には、前記着席者の顔のアゴ周辺が乗せられることを特徴とする顔支持治具にある。
【００１２】
かかる第２の態様では、着席者のアゴ周辺を確実に支持して、着席者の頭部を容易に固定させることができる。
【００１３】
本発明の第３の態様は、第１又は２の態様において、前記アーム部の両端部側のそれぞれが、前記椅子本体の両側面側に着脱自在に保持されていることを特徴とする顔支持治具にある。
【００１４】
かかる第３の態様では、アーム部の両端部側を椅子本体の両側面側に保持させることで、アーム部による着席者の顔の支持強度を向上することができると共に、アーム部を椅子本体から着脱自在とすることで、人が椅子本体に着席又は立ち上がる際にアーム部が妨げになるのを防止できる。
【００１５】
本発明の第４の態様は、第１〜３の何れかの態様において、前記アーム部が、前記背部の傾斜方向に傾斜自在に保持されていることを特徴とする顔支持治具にある。
【００１６】
かかる第４の態様では、アーム部を傾斜させることで、着席者の体の大きさや、背部の傾斜角度に合わせて着席者の顔を支持することができる。
【００１７】
本発明の第５の態様は、第１〜４の何れかの態様において、前記アーム部が、収縮自在に設けられていることを特徴とする顔支持治具にある。
【００１８】
かかる第５の態様では、アーム部を伸縮させることで、着席者の体の大きさや、背部の傾斜角度に合わせて着席者の顔を支持することができる。
【００１９】
本発明の第６の態様は、第１〜５の何れかの態様において、前記椅子本体が、前記座部及び前記背部の側面に肘部を有すると共に、前記アーム部が前記肘部に保持されていることを特徴とする顔支持治具にある。
【００２０】
かかる第６の態様では、アーム部を肘部に容易に且つ確実に保持させることができる。
【００２１】
本発明の第７の態様は、第１〜６の何れかの態様において、前記固定部が手形状を有することを特徴とする顔支持治具にある。
【００２２】
かかる第７の態様では、固定部が当接する顔の違和感をなくすことができる。
【００２３】
本発明の第８の態様は、第１〜７の何れかの態様の顔支持治具を具備することを特徴とする椅子にある。
【００２４】
かかる第８の態様では、ヘッドレストを用いずに、着席者の顔を支持して頭部を固定させることができるため、理髪店及び理容室で散髪等の作業を容易にして作業効率を向上させることができると共に着席者は着席した状態で仮眠を取ることができるため、リラクゼーション効果等を低減することがない。
【発明の効果】
【００２５】
本発明の顔支持治具及び椅子によれば、椅子本体に着席した着席者が顔支持治具によって顔を支持させることができるため、長時間であっても着席者は頭部を容易に且つ確実に固定することができる。これにより、散髪時など頭部が動くことで怪我や火傷を負うのを防止することができると共に、首や肩に凝りが生じるのを防止して頭痛を防止することができ、作業者は作業効率を向上することができる。また、着席者は顔を支持させることでリラックスすることができ、リラクゼーション効果を低減することがなく、且つ仮眠を取ることができる。
【発明を実施するための最良の形態】
【００２６】
以下に本発明を実施形態に基づいて詳細に説明する。
【００２７】
（実施形態１）
図１は、本発明の実施形態１に係る椅子の概略斜視図である。
【００２８】
図１に示すように、本実施形態の椅子１０は、人が着席する椅子本体２０と、椅子本体２０に着脱自在に設けられた顔支持治具３０とを具備する。
【００２９】
椅子本体２０は、座部２１と、座部２１に一端が固定された背部２２と、背部２２と座部２１との両側面に設けられた肘部２４とで構成されている。
【００３０】
このような椅子本体２０の各部材は、例えば、金属や樹脂等のフレームに多孔質材や綿等の弾性部材を設け、この弾性部材を布や革などの被覆部材で覆ったものを用いることができる。
【００３１】
また、座部２１は、底面に固定された台座部２５によって所定の高さで設けられている。この台座部２５には、特に図示しないが、座部２１の高さを調整する調整手段を設けるようにしてもよい。調整手段としては、例えば、駆動モータや油圧ポンプ等の駆動手段と、駆動手段を制御するボタン等の操作手段とで構成すればよい。
【００３２】
また、座部２１の底面には、座部２１の一端部側から突出するように足乗せ部２３が設けられている。この足乗せ部２３には、着席者の足が乗せられるようになっている。
【００３３】
また、背部２２は、座部２１の突出した足乗せ部２３とは反対側の他端部側に所定角度傾斜した状態で固定されている。この背部２２は、例えば、座部２１に固定された端部を中心として傾斜自在に設けてもよい。このような背部２２の傾斜は、例えば、手動により調整できるようにしてもよく、駆動モータ、油圧ポンプ等によって自動的に調整できるようにしてもよい。
【００３４】
また、座部２１の両側面には一対の肘部２４が設けられている。この肘部２４は、着席者の肘を乗せると共に、着席者が座部２１の側面からずれ落ちるのを防止している。
【００３５】
このような椅子本体２０の肘部２４には、顔支持治具３０が設けられている。顔支持治具３０は、一対の肘部２４のそれぞれに嵌合して着脱自在に設けられた嵌合部３１と、一対の嵌合部３１のそれぞれに両端部が固定されて着席者の顔のアゴ周辺に対向する領域まで設けられたアーム部３２とを具備する。
【００３６】
嵌合部３１は、板状部材の両端部を同一方向に屈曲させることで断面がコ字形状となるように形成されている。そして、この嵌合部３１の屈曲された相対向する２面は、肘部２４の厚さよりも広い間隔で設けられており、肘部２４に対して着脱自在となっている。また、嵌合部３１の屈曲された相対向する面の一方には、雄ねじ等の固定部材３３が挿通するように螺合している。この固定部材３３は、肘部２４に嵌合部３１を嵌合させた際に、固定部材３３を締め付けることによって、嵌合部３１との間で肘部２４を狭持するようになっている。すなわち、固定部材３３を締め付けることによって、嵌合部３１を肘部２４に固定することができると共に、固定部材３３を緩めることによって、嵌合部３１を肘部２４から容易に取り外すことができるようになっている。
【００３７】
このように、顔支持治具３０を嵌合部３１によって肘部２４に着脱自在とすることで、人間が椅子本体２０に着席及び起立する際に、顔支持治具３０を椅子本体２０から取り外して、顔支持治具３０が椅子本体２０への着席及び立ち上がる際の妨げとなるのを防止することができる。また、嵌合部３１は、肘部２４に着脱自在となっているため、肘部２４への嵌合位置を着席者の体の大きさに合わせて容易に変更することができる。
【００３８】
また、嵌合部３１のそれぞれの上面には、半円盤形状を有する突出した突起部３４が設けられている。この突起部３４には、アーム部３２が背部２２の傾斜方向に傾斜自在に保持されている。
【００３９】
アーム部３２は、各突起部３４のそれぞれに回転自在に保持された２つの支持部３５と、２つの支持部３５のそれぞれに両端部が挿入するように保持された伸縮部３６とを具備する。
【００４０】
支持部３５は、長手方向に亘って貫通した貫通孔を有する四角柱形状を有し、基端部側の相対向する一対の面が切り欠かれることで突起部３４に嵌合するように設けられている。また、支持部３５は、突起部３４に嵌合した領域で回転軸３７を介して嵌合部３１に保持されている。これにより支持部３５は、回転軸３７を中心として背部２２の傾斜方向に傾斜自在に保持されている。
【００４１】
さらに、支持部３５の突起部３４に対向する領域には、雄ねじ等の傾斜位置決め部材３８が挿通するように螺合して設けられている。支持部３５は、傾斜位置決め部材３８を締め付けることで、傾斜位置決め部材３８と支持部３５との間で突起部３４を狭持して、嵌合部３１に対する傾斜位置が位置決めされるようになっている。
【００４２】
また、支持部３５の先端部側の側面には、内部と外部とを連通する連通孔３９が設けられている。この連通孔３９は支持部３５の長手方向に亘って長孔となるように形成されており、詳しくは後述する伸縮部３６に螺合した伸縮調整部材４０が挿通されるようになっている。
【００４３】
このような２つの支持部３５のそれぞれの先端部側に両端部が挿入される伸縮部３６は、板状部材を湾曲させることで背部２２に沿った円弧状に形成されている。この伸縮部３６の両端部の支持部３５の連通孔３９に対向する領域には、雄ねじ等の伸縮調整部材４０が連通孔３９を挿通するように螺合して設けられている。この伸縮調整部材４０を支持部３５の連通孔３９に挿通させて伸縮部３６に螺合させることで、伸縮部３６と伸縮調整部材４０との間で支持部３５を狭持し、伸縮部３６の支持部３５に対する挿通方向の位置決めを行うようになっている。
【００４４】
すなわち、伸縮調整部材４０を緩めることによって、伸縮部３６は支持部３５に対してスライドすることができ、伸縮部３６の長さを調整することができるようになっている。
【００４５】
また、このような伸縮部３６の着席者のアゴ周辺に対向する領域には、アゴの形状に合わせて凹んだカップ形状を有する固定部４１が設けられている。
【００４６】
そして、このような嵌合部３１及びアーム部３２からなる顔支持治具３０は、椅子本体２０に着席した着席者の体の大きさ、すなわち、着席者のアゴの位置に合わせて、アーム部３２を椅子本体２０に対して傾斜及び伸縮させて固定部４１の位置を調整し、固定部４１に着席者のアゴを乗せることができる。また、椅子本体２０に着席した状態で、背部２２の傾斜角度を変更させた場合にも、アーム部３２を背部２２の傾斜に合わせて傾斜させると共にアーム部３２を伸縮させて、固定部４１を着席者のアゴの位置に合わせることができる。すなわち、椅子１０は、着席者のアゴの位置に合わせて固定部４１を調整することができるため、不特定多数の人間が着席する理髪店や美容室などの椅子１０として用いることができる。
【００４７】
なお、上述したが、人が椅子本体２０に着席又は立ち上がる際には、顔支持治具３０の嵌合部３１が肘部２４から着脱自在なため、顔支持治具３０を椅子本体２０から取り外すことで、顔支持治具３０が着席及び立ち上がりの妨げをすることがない。
【００４８】
このように、本実施形態の顔支持治具３０及びこれを用いた椅子１０は、着席者のアゴを固定部４１上に乗せて、着席者の顔を支持するため、着席者は容易に頭部を固定することができる。これにより、着席者は、頭部を長時間固定しても疲労することがなく、首や肩の凝り及びこれに起因する頭痛などを防止することができる。また、着席者は、顔支持治具３０によって椅子１０に着席した状態で顔が支持されるため、着席者のリラクゼーション効果を低減することがなく、リラクゼーション効果を向上することができると共に、着席者は容易に仮眠することができる。
【００４９】
さらに、顔支持治具３０及びこれを用いた椅子１０は、ヘッドレストを用いずに、着席者の顔を支持して頭部を固定させることができるため、理髪店及び理容室での散髪等の作業を容易にして作業効率を向上することができる。
【００５０】
さらに、本実施形態の顔支持治具３０及びこれを用いた椅子１０は、理髪店や美容室などだけでなく、顔支持治具３０を座椅子やリクライニングチェアーなどに用いることもできる。これにより、着席者が読書や細かな作業などを行うために顔を下に向けた状態であっても、顔支持治具３０によって顔を支持することができる。
【００５１】
なお、本実施形態では、着席者のアゴを乗せる固定部４１として、アゴの形に合わせて凹んだカップ状の部材を用いたが、固定部４１の形状は、特にこれに限定されるものではない。ここで、固定部４１の変形例を図３に示す。なお、図３は、固定部の他の例を示す要部平面図である。
【００５２】
図３に示すように、アーム部３２に固定された固定部４１Ａは、１対の握り拳が第２関節同士を互いに相対させるように設けられている。このような固定部４１Ａとしては、例えば、ゴムやエラストマ、樹脂などの弾性部材を挙げることができる。固定部４１Ａをこのような形状としても、上述した実施形態と同様の効果を得ることができる。
【００５３】
（実施形態２）
図４は、本発明の実施形態２に係る椅子の概略斜視図である。なお、上述した実施形態１と同様の部材には同一の符号を付して重複する説明は省略する。
【００５４】
図４に示すように、本実施形態の椅子１０Ａは、椅子本体２０に着脱自在に設けられた顔支持治具３０Ａとを具備する。
【００５５】
顔支持治具３０Ａは、上述した実施形態１と同様に、一対の肘部２４のそれぞれに両端部が固定されて着席者の顔のアゴ周辺に対向する領域まで設けられたアーム部３２と、アーム部３２に設けられた固定部４１Ｂとを具備する。また、固定部４１Ｂには、一端が酸素供給装置４２に接続された供給管４３の他端部が接続されている。
【００５６】
酸素供給装置４２は、高濃度酸素を含む空気を供給するものであり、酸素富化膜を用いた膜式酸素発生装置などが挙げられる。また、酸素供給装置４２からの高濃度酸素を含む空気を固定部４１Ｂに供給する供給管４３としては、例えば、ゴム又は樹脂等で形成されたものが挙げられる。この供給管４３は、アーム部３２に沿って設けられることで、着席者が着席する際や、散髪等を行う作業者などが足を掛けて転倒するのを防止している。
【００５７】
また、供給管４２の一端が固定された固定部４１Ｂには、着席者のアゴ周辺側に開口する開口（図示なし）が設けられている。この固定部４１Ｂに設けられた開口からは高濃度の酸素を含む空気が供給されるため、着席者が固定部４１Ｂにアゴ周辺を載せた際に、開口が塞がれないようにするのが好ましい。
【００５８】
このように、顔支持治具３０Ａに供給管４３を介して酸素供給装置４２を設けることにより、顔支持治具３０Ａに顔を支持された着席者に高濃度の酸素を含む空気を供給して、着席者のリラクゼーション効果をさらに向上させることができる。
【００５９】
（実施形態３）
図５は、本発明の実施形態３に係る椅子の概略斜視図である。なお、上述した実施形態と同様の部材には同一の符号を付して重複する説明は省略する。
【００６０】
図５に示すように、本実施形態の椅子１０Ｂは、椅子本体２０の肘部２４の一方側のみに顔支持治具３０Ｂが着脱自在に保持されている。
【００６１】
顔支持治具３０Ｂは、肘部２４に嵌合する嵌合部３１と、嵌合部３１に傾斜自在に保持されたアーム部３２Ａとを具備し、アーム部３２Ａは、嵌合部３１に回転軸３７を介して傾斜自在に保持された支持部３５と、支持部３５に伸縮自在に保持された伸縮部３６Ａとを具備する。
【００６２】
支持部３５は、傾斜位置決め部材３８を介して嵌合部３１の突起部３４に位置決めされて保持されている。また、伸縮部３６Ａは、一端が支持部３５に挿通されると共に、他端が着席者の顔のアゴ周辺に対向する領域まで湾曲して設けられている。
【００６３】
そして、伸縮部３６Ａが伸縮調整部材４０によって支持部３５に伸縮自在に保持されることで、着席者のアゴの位置に合わせて位置決めされている。
【００６４】
また、伸縮部３６Ａの他端部の着席者のアゴに対向する位置には、固定部４１Ｃが設けられている。この固定部４１Ｃは、握り拳形状を有し、着席者のアゴが固定部４１Ｃの拳の甲の部分に乗せられるようになっている。
【００６５】
なお、本実施形態では、固定部４１Ｃを握り拳形状としたが、特にこれに限定されず、例えば、固定部を手の掌を上に向けた形状として、手の掌の部分にアゴを乗せさせるようにしてもよく、また、上述した実施形態１及び２と同様に、アゴの形状に凹んだカップ形状を有する固定部４１としてもよく、さらに、１対の拳形状を有する固定部４１Ａとしてもよい。
【００６６】
このように、一方の肘部２４にのみ嵌合部３１を設けると共に、嵌合部３１に一端部側のみが固定されたアーム部３２Ａを設けることで、人が着席又は立ち上がる際に、顔支持治具３０Ｂが椅子本体２０への着席及び立ち上がりを妨げることがない。すなわち、本実施形態では、顔支持治具３０Ｂを椅子本体２０から着脱自在としたが、顔支持治具を椅子本体２０に固定して着脱されないようにしてもよい。
【００６７】
（実施形態４）
図６は、本発明の実施形態４に係る椅子の概略斜視図である。なお、上述した実施形態と同様の部材には同一の符号を付して重複する説明は省略する。
【００６８】
図６に示すように、本実施形態の椅子１０Ｃは、椅子本体２０の肘部２４の一方側のみに顔支持治具３０Ｃが着脱自在に保持されている。
【００６９】
顔支持治具３０Ｃは、肘部２４に嵌合する嵌合部３１と、嵌合部３１に傾斜自在に保持されたアーム部３２Ｂとを具備する。
【００７０】
アーム部３２Ｂは、腕形状を有し、その基端部側が嵌合部３１の上面に固定されている。このようなアーム部３２Ｂとしては、例えば、鉄、ステンレス等のフレームをゴム、エラストマ等の弾性部材で覆ったものなどが挙げられる。
【００７１】
また、アーム部３２Ｂは、例えば、人間が頬杖を付くように、先端の拳が顔の頬に当接する長さ及び角度で嵌合部３１に固定されている。
【００７２】
このような構成の顔支持治具３０Ｃとしても、上述した実施形態と同様に、着席者が顔を顔支持治具３０Ｃによって支持させることができ、着席者は容易に且つ長時間、頭部を固定することができると共に、着席者のリラクゼーション効果を向上することができ、着席者は容易に仮眠することができる。
【００７３】
なお、アーム部３２Ｂの長さ及び傾斜角度等の異なる顔支持治具３０Ｃを複数用意し、着席者の体の大きさや背部の角度などに合わせて顔支持治具３０Ｃを交換するようにしてもよい。勿論、アーム部３２Ｂの傾斜及び長さの異なる顔支持治具３０Ｃを複数用意し、着席者の体に合わせて又は背部２２の傾斜角度に合わせて顔支持治具３０Ｃを交換するようにしてもよい。
【００７４】
（実施形態５）
図７は、本発明の実施形態５に係る椅子の概略斜視図である。なお、上述した実施形態と同様の部材には同一の符号を付して重複する説明は省略する。
【００７５】
図７に示すように、本実施形態の椅子１０Ｄは、椅子本体２０の肘部２４の一方側のみに顔支持治具３０Ｄが着脱自在に保持されている。
【００７６】
顔支持治具３０Ｄは、肘部に嵌合する嵌合部３１と、嵌合部３１に傾斜自在に保持されたアーム部３２Ｃとを具備する。
【００７７】
アーム部３２Ｃは、腕形状を有し、その基端部側が嵌合部３１の上面に固定されている。このようなアーム部３２Ｃとしては、上述した実施形態４と同様に、鉄、ステンレス等のフレームをゴム、エラストマ等の弾性部材で覆ったものなどが挙げられる。
【００７８】
このようなアーム部３２Ｃは、先端の拳の親指側が鉛直方向上向きとなるように設けられており、親指及び人差し指側が着席者のアゴの真下に当接する長さ及び角度で嵌合部３１に固定されている。
【００７９】
このような構成の顔支持治具３０Ｄとしても、上述した実施形態と同様に、着席者が顔を顔支持治具３０Ｄによって支持させることができ、着席者は容易に且つ長時間、頭部を固定することができると共に、着席者のリラクゼーション効果を向上することができ、着席者は容易に仮眠することができる。
【００８０】
なお、本実施形態も、上述した実施形態４と同様に、アーム部３２Ｃの長さ及び傾斜角度等の異なる顔支持治具３０Ｄを複数用意し、着席者の体の大きさや背部の角度などに合わせて顔支持治具３０Ｄを交換するようにしてもよい。勿論、アーム部３２Ｃの傾斜及び長さの異なる顔支持治具３０Ｄを複数用意し、着席者の体に合わせて又は背部２２の傾斜角度に合わせて顔支持治具３０Ｄを交換するようにしてもよい。
【００８１】
（他の実施形態）
以上、本発明の各実施形態を説明したが、本発明の基本的な構成は、上述したものに限定されるものではない。
【００８２】
例えば、上述した実施形態１〜５では、椅子本体２０に肘部２４を設け、顔支持治具３０〜３０Ｄが肘部２４に着脱自在に保持されるようにしたが、椅子本体２０は、少なくとも座部２１と背部２２とで構成されていればよい。例えば、椅子本体が座椅子などの座部と背部とでのみ構成されている場合には、座部の側面又は背部の側面に顔支持治具を着脱自在に固定するようにすればよい。
【００８３】
また、上述した実施形態１〜３では、顔支持治具３０〜３０Ｂのアーム部３２及び３２Ａを椅子本体２０に対して傾斜自在及び伸縮自在となるようにしたが、特にこれに限定されず、アーム部を固定長としてアーム部の長さの異なる顔支持治具を複数用意し、着席者の体に合わせて顔支持治具を交換するようにしてもよい。勿論、アーム部を嵌合部に傾斜しないように固定すると共に、アーム部の傾斜の異なる顔支持治具を複数用意し、着席者の体に合わせて又は背部２２の傾斜角度に合わせて顔支持治具を交換するようにしてもよい。
【図面の簡単な説明】
【００８４】
【図１】本発明の実施形態１に係る椅子の概略斜視図である。
【図２】本発明の実施形態１に係る顔支持治具の要部断面図及び要部平面図である。
【図３】本発明の実施形態１に係る固定部の変形例を示す要部平面図である。
【図４】本発明の実施形態２に係る椅子の概略斜視図である。
【図５】本発明の実施形態３に係る椅子の概略斜視図である。
【図６】本発明の実施形態４に係る椅子の概略斜視図である。
【図７】本発明の実施形態５に係る椅子の概略斜視図である。
【符号の説明】
【００８５】
１０、１０Ａ、１０Ｂ、１０Ｃ、１０Ｄ  椅子
２０  椅子本体
２１  座部
２２  背部
２３  足乗せ部
２４  肘部
３０、３０Ａ、３０Ｂ、３０Ｃ、３０Ｄ  顔支持治具
３１  嵌合部
３２、３２Ａ、３２Ｂ、３２Ｃ  アーム部
４１、４１Ａ、４１Ｂ、４１Ｃ  固定部
【図１】
2005278696.tif 000003
【図２】
2005278696.tif 000004
【図３】
2005278696.tif 000005
【図４】
2005278696.tif 000006
【図５】
2005278696.tif 000007
【図６】
2005278696.tif 000008
【図７】
2005278696.tif 000009